(57)【要約】【課題】綴じ足を倒伏させて書類を綴じ込む操作と、綴じ込み解除とを容易且つ迅速に行うことができる綴じ具及びファイルを提供する。【解決手段】一対の綴じ足２２と、綴じ足２２の通路２４を有する一対のベース形成部材２５Ａ、２５Ｂを相互に組み合わせて全長が伸縮可能なベース２５と、ベース形成部材２５Ａ、２５Ｂを連結してベース２５の全長を伸縮させる操作部材２７とを備えて綴じ具３が構成されている。操作部材２７は、綴じ足押さえ部５０を備え、ベースの全長を長くするように操作したときに、一方のベース形成部材の綴じ足押さえ部５０が他方のベース形成部材の通路上を開放して綴じ足を挿入可能とし、ベースの全長を短くしたときに、一方のベース形成部材の綴じ足押さえ部が他方のベース形成部材の通路上を横切って綴じ足を倒伏させて綴じ込み位置とする。【選択図】図１
2010240978.tif 000002
【特許請求の範囲】
【請求項１】
所定間隔を隔てて配置される綴じ足と、前記綴じ足の通路をそれぞれ備えているとともに、一対のベース形成部材を相互に組み合わせて全長が伸縮可能に設けられたベースと、前記ベース形成部材を相互に連結して前記ベースの全長を伸縮させる操作部材とを備え、
前記操作部材を所定操作して当該ベースの全長を伸縮させることで、前記通路に綴じ足が挿入可能に設けられるとともに、当該綴じ足を倒伏姿勢に押さえ込んで書類の綴じ込みを可能としたことを特徴とする綴じ具。
【請求項２】
前記ベース形成部材は綴じ足押さえ部をそれぞれ備え、前記操作部材の操作で前記ベースの全長を長くしたときに、一方のベース形成部材の綴じ足押さえ部が他方のベース形成部材の通路上を開放して前記通路に綴じ足を挿入可能とし、前記ベースの全長を短くしたときに、一方のベース形成部材の綴じ足押さえ部が他方のベース形成部材の通路に挿入された綴じ足を倒伏して押さえ込むことを特徴とする請求項１記載の綴じ具。
【請求項３】
前記操作部材は、前記ベースと略平行に位置する第１の位置と、中間が屈曲する第２の位置との間で変位可能に設けられ、
前記操作部材を第１の位置に設定したときに、前記ベース形成部材が相互に接近するとともにベース全長が短縮して綴じ足を倒伏させる一方、第２の位置に設定したときに前記ベース形成部材が相互に離間するとともにベース全長が伸長して綴じ込みを解除することを特徴とする請求項１又は２記載の綴じ具。
【請求項４】
前記操作部材の操作方向は、前記ベースの上面に対して直交する方向であることを特徴とする請求項１ないし３の何れかに記載の綴じ具。
【請求項５】
前記操作部材を前記第２の位置に設定したときに、前記ベース形成部材の相互位置を保つストッパ機構を更に含むことを特徴とする請求項３又は４記載の綴じ具。
【請求項６】
前記綴じ足は、無負荷状態で直線上に延び、当該綴じ足に交差する方向からの力によって倒伏方向に屈曲可能なスプリング軸を含み、先端側は前記通路への挿入を促進する先細形状の案内部とされていることを特徴とする請求項１ないし５の何れかに記載の綴じ具。
【請求項７】
所定間隔を隔てて配置される綴じ足と、前記綴じ足の通路をそれぞれ備えているとともに、同一構造の一対のベース形成部材を相互に組み合わせて全長が伸縮可能に設けられたベースと、前記ベース形成部材を相互に連結する屈曲変位可能な操作部材とを備え、
前記操作部材を操作して前記ベースの全長を伸縮させることで書類の綴じ込みと綴じ込みを解除することを特徴とする綴じ具。
【請求項８】
請求項１ないし７の何れかに記載された綴じ具と、当該綴じ具が取り付けられる表紙体とを備えたことを特徴とするファイル。
【発明の詳細な説明】
【技術分野】
【０００１】
本発明は綴じ具及びファイルに係り、例えば、表紙体に支持される綴じ足を書類の綴じ穴に挿入した状態で、綴じ足を倒伏して押さえ込むことで書類の綴じ込みを行うことのできる綴じ具及びファイルに関する。
【背景技術】
【０００２】
フラットファイル等に用いられる綴じ具は、表紙体の内面側に形成された折り込み部に一端側が支持される片状をなす一対の綴じ足と、これら綴じ足を挿入するための通路を備えた細長い板状のベースと、当該ベースの長手方向に沿って移動可能に支持されるとともに、前記通路に挿入された綴じ足を倒伏姿勢に押さえ込むことのできる一対のスライダとを備えて構成されている。
このような綴じ具は、各スライダが個々に分離しているため、同期移動することができず、書類の加除を行う際には、スライダをそれぞれ指先で移動操作する必要がある。つまり、公知のフラットファイルにおける綴じ具は、操作箇所が複数箇所に分散したものとなっている。
そこで、本出願人は、操作箇所を一箇所として綴じ足の押さえ込みと、その解除とを行うことのできる綴じ具を提案した（特許文献１参照）。
【先行技術文献】
【特許文献】
【０００３】
【特許文献１】特開２００２−３０７８８４号公報
【発明の概要】
【発明が解決しようとする課題】
【０００４】
特許文献１に記載された綴じ具は、スライダ（移動部材）に一体的に連なる操作片部をそれぞれ設け、ヒンジ部を介して各操作片部を相互に連結した構成となっている。この綴じ具を用いて書類の加除整理を行うときは、ヒンジ部をベース上面に対して離間接近させる操作により、スライダがベースに沿って同期移動可能となり、加除整理に際しての操作を簡便なものとすることができる。
しかしながら、特許文献１に記載された綴じ具にあっては、各スライダを同期移動させるためのラックやピニオン等の連動機構を必須の構成要素としているため、部品点数が多くなり、組み立てが非常に煩雑になるばかりでなく、製造コストが高騰する、という不都合がある。
【０００５】
［発明の目的］
本発明は、このような不都合に着目して案出されたものであり、その目的は、ラックやピニオン等の連動機構を必要とすることがないとともに、綴じ足を倒伏させて書類を綴じ込む操作と、書類の綴じ込み解除とを容易且つ迅速に行うことができ、また、部品点数を削減して組み立てを簡易に行うことのできる綴じ具及びファイルを提供することにある。
【課題を解決するための手段】
【０００６】
前記目的を達成するため、本発明は、所定間隔を隔てて配置される綴じ足と、前記綴じ足の通路をそれぞれ備えているとともに、一対のベース形成部材を相互に組み合わせて全長が伸縮可能に設けられたベースと、前記ベース形成部材を相互に連結して前記ベースの全長を伸縮させる操作部材とを備え、
前記操作部材を所定操作して当該ベースの全長を伸縮させることで、前記通路に綴じ足が挿入可能に設けられるとともに、当該綴じ足を倒伏姿勢に押さえ込んで書類の綴じ込みを可能とする、という構成を採っている。
【０００７】
本発明において、前記ベース形成部材は綴じ足押さえ部をそれぞれ備え、前記操作部材の操作で前記ベースの全長を長くしたときに、一方のベース形成部材の綴じ足押さえ部が他方のベース形成部材の通路上を開放して前記通路に綴じ足を挿入可能とし、前記ベースの全長を短くしたときに、一方のベース形成部材の綴じ足押さえ部が他方のベース形成部材の通路に挿入された綴じ足を倒伏して押さえ込む、という構成を採ることが好ましい。
【０００８】
また、前記操作部材は、前記ベースと略平行に位置する第１の位置と、中間が屈曲する第２の位置との間で変位可能に設けられ、
前記操作部材を第１の位置に設定したときに、前記ベース形成部材が相互に接近するとともにベース全長が短縮して綴じ足を倒伏させる一方、第２の位置に設定したときに前記ベース形成部材が相互に離間するとともにベース全長が伸長して綴じ込みを解除する、という構成を採ることができる。
【０００９】
更に、前記操作部材の操作方向は、前記ベースの上面に対して直交する方向であることが好ましい。
【００１０】
また、前記操作部材を第２の位置に設定したときに、前記ベース形成部材の相互位置を保つストッパ機構を更に含む構成を採るとよい。
【００１１】
更に、前記綴じ足は、無負荷状態で直線上に延び、当該綴じ足に交差する方向からの力によって倒伏方向に屈曲可能なスプリング軸を含み、先端側は前記通路への挿入を促進する先細形状の案内部とされる、という構成を採っている。
【００１２】
また、本発明は、所定間隔を隔てて配置される綴じ足と、前記綴じ足の通路をそれぞれ備えているとともに、同一構造の一対のベース形成部材を相互に組み合わせて全長が伸縮可能に設けられたベースと、前記ベース形成部材を相互に連結する屈曲変位可能な操作部材とを備え、
前記操作部材を操作して前記ベースの全長を伸縮させることで書類の綴じ込みと綴じ込みを解除する、という構成を採っている。
【００１３】
更に、本発明に係るファイルは、請求項１ないし７の何れかに記載された綴じ具と、当該綴じ具が取り付けられる表紙体とを備えて構成されている。
【発明の効果】
【００１４】
本発明によれば、前記操作部材を操作してベースの全長を伸縮させるだけで綴じ足の挿入と、倒伏とが可能となるため、少ない部品点数によって綴じ具を構成できるとともに、書類の加除整理を簡易且つ迅速に行うことが可能となる。
特に、一対のベース形成部材を相互に組み合わせてベース全長が伸縮する構成とし、一方のベース形成部材が他方のベース形成部材の通路に挿入される綴じ足の押さえ部を含む構成であれば、綴じ足の倒伏姿勢を安定して保つことができる。
また、操作部材を設けて第１の位置と、第２の位置との間で変位可能とした構成では、操作部材を第１の位置と第２の位置に設定するだけで綴じ込み及びその解除を行うことができる。この際、操作部材の操作方向をベースの上面に対して直交する方向に設定すれば、前記通路に綴じ足を抜き差しする方向と一致させることができ、書類の加除整理を一層容易に行うことが可能となる。
更に、綴じ足をスプリング軸により構成するとともに先端を先細形状とした構成では、前記通路に綴じ足を挿入する操作を極めて簡単に行うことができる一方、倒伏方向への屈曲もスムースに行うことが可能となる。
なお、本明細書において、ベース形成部材の「離間」とは、ベース全長が長くなる方向に各ベース形成部材が移動する場合について用いられ、「接近」とは、前記全長が短くなる方向に各ベース形成部材が移動する場合について用いられる。
【図面の簡単な説明】
【００１５】
【図１】本実施形態に係る綴じ具を備えたファイルの要部概略斜視図。
【図２】綴じ足を省略した綴じ具の拡大斜視図。
【図３】ファイルに書類を綴じ込んだ状態を示す断面図。
【図４】綴じ足の倒伏を解除（綴じ込み解除）した状態を示す断面図。
【図５】一対のベース形成部材を組み合わせて相互に接近させた状態を示す平面図。
【図６】前記ベース形成部材を相互に離間させた状態を示す平面図。
【図７】一対のベース形成部材を分解した状態を示す平面図。
【図８】一方のベース形成部材の平面図。
【図９】図８の正面図。
【図１０】図８のＡ−Ａ線矢視断面図。
【図１１】図８の底面図。
【図１２】図８の背面図。
【図１３】図８のＬ−Ｌ線矢視断面図。
【図１４】（Ａ）は図８のＢ−Ｂ線矢視拡大断面図、（Ｂ）は同拡大左側面図、（Ｃ）は同Ｄ−Ｄ線矢視拡大断面図、（Ｄ）は同Ｃ−Ｃ線矢視拡大断面図。
【図１５】（Ａ）は図８のＧ−Ｇ線矢視拡大断面図、（Ｂ）は同拡大右側面図、（Ｃ）は同Ｅ−Ｅ線矢視拡大断面図、（Ｄ）は同Ｆ−Ｆ線矢視拡大断面図。
【図１６】（Ａ）は操作部材の平面図、（Ｂ）はその正面図、（Ｃ）は図１６（Ａ）のＨ−Ｈ線矢視断面図。
【図１７】（Ａ）は図１６（Ａ）のＩ−Ｉ線矢視拡大断面図、（Ｂ）は同Ｊ−Ｊ線矢視拡大断面図、（Ｃ）は同Ｋ−Ｋ線矢視拡大断面図、（Ｄ）は同拡大右側面図。
【発明を実施するための形態】
【００１６】
以下、本発明の好ましい実施形態を、図面を参照しながら詳細に説明する。
【００１７】
図１ないし図４に示されるように、ファイル１は、表紙体２と、当該表紙体２の内面側に設けられた綴じ具３とにより構成されている。表紙体２は、略長方形状の平面形状を有する背表紙１１と、この背表紙１１の幅方向両端に連なる表表紙１２及び裏表紙１３と、当該裏表紙１３の背表紙１１側内面に設けられて綴じ具３の装着領域を形成する装着部１４とからなる。装着部１４は、公知のフラットファイル等と同様に、表紙体２を形成するシートの一部を二枚厚となるように内面側に折り返すことによって形成されている。なお、装着部１４を形成する二枚厚のシートは、ステイプラーの針等を打ち込むことで重ね合わせた状態が維持される。
【００１８】
前記綴じ具３は、図３及び図４に示されるように、前記装着部１４の面内で所定間隔を隔てて配置される二つの綴じ足２２と、これら綴じ足２２を挿入するための通路２４をそれぞれ備えた一対のベース形成部材２５Ａ、２５Ｂを相互に組み合わせることで全長が伸縮可能に設けられたベース２５と、ベース形成部材２５Ａ，２５Ｂを組み合わせた状態で相互に連結してベース２５の全長を伸縮させる操作部材２７とを備えて構成されている。
【００１９】
前記綴じ足２２は、図４に示されるように、無負荷状態、すなわち、何も力を付与しない状態で、前記装着部１４の面から起立する方向に延びる初期形状を維持可能な部材により構成されている。この綴じ足２２は、軸線に交差する方向から力を付与したときに倒伏して屈曲するスプリング軸２９と、当該スプリング軸２９の先端側に設けられた先細形状の案内部３０と、この案内部３０の反対側に設けられて前記装着部１４に形成された穴１４Ａに引っ掛け可能な大径の基部３１とを含む。穴１４Ａは、装着部１４を形成する二枚厚のシートの一方の面内に設けられており、これにより、基部３１は、シート間に挟み込まれて一定位置に保たれる。
【００２０】
前記ベース２５を構成する一対のベース形成部材２５Ａ、２５Ｂは同一部品であり、図５ないし図７に示されるように、組み立てる際に点対称に配置される。ベース形成部材２５Ａ、２５Ｂは、それらの中央部を同一平面上に位置させた状態で、一方のベース形成部材２５Ａ、２５Ｂの一端側が他方のベース形成部材２５Ａ、２５Ｂの他端側に重なり合うように組み合わされる。従って、以下の説明においては、一方のベース形成部材２５Ａについて説明するものとし、他方のベース形成部材２５Ｂについては同一符号を用いて説明を省略する。
【００２１】
前記ベース形成部材２５Ａは、図７に示されるように、細長い片状に設けられて前記装着部１４の面若しくは綴じ込み対象となる書類Ｐの最上面に接する平面部３５と、この平面部３５に連なる上段平面部３６とを含む。平面部３５は、特に限定されるものではないが、ベース形成部材２５Ａの全長の約２／３程度の長さに設けられ、ベース形成部材２５Ａの中間部から左側を幅広平面部３５Ａ、右側を幅狭平面部３５Ｂとして形成されている。幅広平面部３５Ａの幅方向両側には、側壁部３７、３８が形成されているとともに、一方（図７中下方）の側壁部３７は幅狭平面部３５Ｂを越えて前記上段平面部３６の途中まで延びる長さに設けられている。
【００２２】
前記幅広平面部３５Ａには、通路２４がスロット状に形成されており、当該通路２４に綴じ足２２が挿入されるようになっている。この通路２４は、ベース形成部材２５Ａの長さ方向に向けられており、当該通路２４の長さ方向開口寸法は、ベース形成部材２５Ａ、２５Ｂを相互に接近させてベース２５の全長を短くするときに、ベース形成部材２５Ａ、２５Ｂの相互接近動作を妨げることがない長さに設定されている（図３、図４参照）。
【００２３】
前記側壁部３７、３８の相対面には、図８ないし図１５に示されるように、案内リブ４０がベース形成部材２５Ａの長手方向（図８中左右方向）に沿って形成されている。この案内リブ４０よりも図８中左側には、ベース２５の全長を短くするときに、ベース形成部材２５Ａ、２５Ｂの各一端側を受け入れ可能とする受容路４１が形成されている（図１４（Ａ）参照）。側壁部３７、３８間において、図８中左端側領域の相対面間隔は狭く設けられて収容部４３を構成し、当該収容部４３が、綴じ足２２の倒伏時の収容領域を形成する。また、前記上段平面部３６近傍における側壁部３７の内面側には、前記操作部材２７が後述する第２の位置に設定されてベース２５の全長が伸長したときに、ベース形成部材２５Ａ、２５Ｂが相互に離間した位置を保つストッパとしての凸部４５（図１４等参照）が形成されている。この凸部４５が形成されている側壁部３７部分は、図９及び図１４（Ｃ）に示されるように、上端高さ位置を低くする凹部３７Ａとして形成され、当該凹部３７Ａに操作部材２７の中間部が位置可能となっている（図２参照）。なお、前記上段平面部３６の領域内において、側壁部３７の近傍には、操作部材２７が後述する第１の位置に設定されたときに、当該操作部材２７の爪部６０（図４参照）を受容するための穴３６Ａ（図１５（Ｃ）参照）が形成される一方、穴３６Ａを形成する側壁部３７の内面部分には切欠部３７Ｂが形成され、この切欠部３７Ｂに前記爪部６０が係り合い可能に設けられている。
【００２４】
前記上段平面部３６は、その内方端がベース形成部材２５Ａの長手方向に対して交差する傾斜縁３６Ｂに形成されている一方、外方端側（図８中右端側）は、幅方向二箇所に位置する一対のフォーク部４７を備えて構成されている。これらフォーク部４７間には、下面側を開放するとともに長手方向に開通するトンネル状の綴じ足押さえ部５０が形成されており、当該綴じ足押さえ部５０よりも内方には、操作部材２７の軸受部５２が設けられている。フォーク部４７は、他方のベース形成部材２５Ｂに設けられた受容路４１に対して出没するようになっており、その先端側上面は先端に向かうに従って厚みが小さくなる傾斜面とされ、この傾斜面により、前記受容路４１に入り込む動作をスムースに行えるようになっている。なお、上段平面部３６の側端縁部分（図８中上端縁部分）には、他方のベース形成部材２５Ｂに設けられた突部４５にクリック動作を伴って嵌合可能なストッパを構成する凹み部３６Ｃが形成されている。
【００２５】
前記軸受部５２は、アーム部５５と、このアーム部５５に設けられた突起軸５７とにより構成されている。アーム部５５は二股状に設けられており、これらアーム部５５に設けられた突起軸５７はベース形成部材２５Ａの幅方向に軸線が向くように設けられている。
【００２６】
前記操作部材２７は、中間部の幅方向に薄肉のヒンジ部６０を介して左右両側に位置する一対の片状部６２と、これら片状部６２の先端側（図１６中左右両端側）にそれぞれ設けられて前記軸受部５２の各突起軸５７に相対回転可能に嵌合する連結環部６４とを備え、この連結環部６４を各ベース形成部材２５Ａ、２５Ｂの軸受部５２にそれぞれ連結することで、ベース形成部材２５Ａ、２５Ｂを相互に離間接近させる方向に移動可能とし、これにより、ベース２５がその全長を伸縮するようになっている。なお、操作部材２７は、ベース形成部材１５Ａ、２５Ｂと同様に、適宜な樹脂材料による一体成形品により構成されている。
【００２７】
前記操作部材２７において、前記ヒンジ部６０回りの領域は、幅広の操作面６２Ａとされている。この操作面６２Ａは、操作部材２７が全体的に平面内に位置するようにベース２５と略平行な第１の位置とされてベース形成部材２５Ａ、２５Ｂが相互に接近したとき、つまり、ベース２５の全長が短くなったとき（図５参照）に、前記側壁部３７の凹部３７Ａ内に位置するようになっている。
また、操作部材２７は、操作面６２Ａの幅方向両側を指先で摘んでベース２５の面に対して直交する上方に引き上げたとき（図４参照）に、ヒンジ部６０で左右の片状部６２が相対的に角度変位して左右の連結環部６４が相互に接近し、これにより、ベース形成部材２５Ａ、２５Ｂが相互に離間してベース２５が全長を伸長するようになっている。
【００２８】
前記各片状部６２は、側端面の点対称位置にフック部６６を備えており、フック部６６は、ベース形成部材２５Ａ、２５Ｂの上段平面部３６に形成された穴３６Ａと、側壁部３７の切欠部３７Ｂに位置するようになっており、操作部材２７を第１の位置としたときに、各フック部６６が切欠部３７Ｂに係り合うようになっている。
【００２９】
前記連結環部６４は、図１７に示されるように、片状部６２の幅方向二箇所に連設された半リング形状の下半環部７０（図１６（Ｂ）、図１７（Ｃ）参照）と、片状部６２の長手方向先端部に連設された半リング形状の上半環部７１（図１６（Ｃ）、図１７（Ｂ）参照）とにより構成され、これら下半環部７０と上半環部７１とで前記突起軸５７を上下から挟み付けて連結環部６４が軸受部５２に嵌合可能となっている。
なお、図１６、１７中符号７２は補強リブを示す。
【００３０】
本実施形態におけるベース形成部材２５Ａ、２５Ｂは、図７に示されるように相対させた状態で、各ベース形成部材２５Ａ、２５Ｂの幅狭平面部３５Ｂの幅方向端部が突き合うように組み合わせる。このとき、一方のベース形成部材２５Ａ、２５Ｂの上段平面部３６が、他方のベース形成部材２５Ａ、２５Ｂの平面部３５の上面側に重なって長手方向に相対移動可能となり、これにより、ベース２５が全長を伸縮可能な状態で組み立てられる。
【００３１】
この状態で、操作部材２７の連結環部６４を軸受部５２に連結する。この連結は、前記上半環部７１と、下半環部７０との間に突起軸５７を位置させて当該突起軸５７を挟み込ようにして行われ、この連結を完了した状態で、ベース形成部材２５Ａ、２５Ｂが操作部材２７によって相互に連結される。
【００３２】
綴じ具１０を用いて書類Ｐを綴じ込むときは、綴じ足２２を書類Ｐの綴じ穴に挿入した後、ベース２５の通路２４に綴じ足２２を挿入する（図４参照）。この際、操作部材２７はヒンジ部６２を介して屈曲し、ベース２５は、ベース形成部材２５Ａ、２５Ｂを相互に離間して伸長した長さとなり、綴じ足押さえ部５０は通路２４の上方を遮らない位置となる。この時、操作部材２７は屈曲した第２の位置を維持するようになっている。すなわち、一方のベース形成部材２５Ａ、２５Ｂの側壁部３７に設けられた凸部４５が、他方のベース形成部材２５Ａ、２５Ｂの凹み部３６Ｃに嵌合し、ベース形成部材２５Ａ、２５Ｂが接近移動することがないように摩擦抵抗を付与し、通路２４の上方を綴じ足押さえ部５０が遮ることがないように保たれる。
【００３３】
次いで、操作部材２７のヒンジ部６２領域を跨ぐように操作面６２Ａを指先で上方から押圧することで、屈曲姿勢となっている操作部材２７が平面方向に変位しようとする力が働き、操作部材２７の連結環部６４が軸受部５２を介して各ベース形成部材２５Ａ、２５Ｂを相互に接近移動させる。
【００３４】
ベース形成部材２５Ａ、２５Ｂが接近してベース２５の全長が短くなるときに、綴じ足押さえ部５０が対応する通路２４の上方を横切り、このときに、綴じ足２２を倒伏して軸部分を綴じ足押さえ部５０で押さえ込み、これによって書類Ｐの綴じ込みを完了することができる。なお、綴じ込みを完了した状態では、操作部材２７は平面姿勢となる第１の位置をとり、同時に、操作部材２７の片状部６２に設けられたフック部６６が前述した穴３６Ａ内に位置して切欠部３７Ｂに係り合い、これにより、第１の位置が維持されるようになる。
【００３５】
書類Ｐの綴じ込みを解除する場合には、前記操作面部６２Ａの幅方向両側に指先をかけてベース２５の面と直交する上方に引き上げる操作を行えばよい。これにより、綴じ足押さえ部５０は、綴じ足２２の押さえ付けを解除する方向に移動すると同時に、スプリング軸２９は、その弾性復元力により初期の起立姿勢に復帰し、操作部材２７の引き上げ操作に伴ってベース２５を綴じ足２２から引き抜くことができ、これにより、書類の加除整理を行うことが可能となる。
【００３６】
従って、このような実施形態によれば、書類の綴じ込みとその解除とを簡易且つ迅速に行うことができる、という効果を得る。
【００３７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３８】
例えば、前記実施形態におけるベース形成部材２５、２５Ａの形状は、図示構成例に限定されるものではなく、操作部材２７で相互に連結された状態で離間接近移動して綴じ込み及びその解除ができるものであれば、種々の形状変更を行うことができる。
また、操作部材２７は、ベース形成部材２５Ａ、２５Ｂの相互移動を可能とするように連結する構成であればよい。
更に、綴じ足２２は、スプリング軸２９を用いたものでなくてもよい。但し、スプリング軸２９を用いたものであれば、綴じ足２２を通路２４に挿抜する作業を容易に行うことができる点で有利となる。
【符号の説明】
【００３９】
１０  綴じ具
２２  綴じ足
２４  通路
２５  ベース
２５Ａ、２５Ｂ  ベース形成部材
２７  操作部材
２９  スプリング軸
３６Ｃ  凹部（ストッパ）
５０  綴じ足押さえ部
４５  凸部（ストッパ）
【図１】
2010240978.tif 000003
【図２】
2010240978.tif 000004
【図３】
2010240978.tif 000005
【図４】
2010240978.tif 000006
【図５】
2010240978.tif 000007
【図６】
2010240978.tif 000008
【図７】
2010240978.tif 000009
【図８】
2010240978.tif 000010
【図９】
2010240978.tif 000011
【図１０】
2010240978.tif 000012
【図１１】
2010240978.tif 000013
【図１２】
2010240978.tif 000014
【図１３】
2010240978.tif 000015
【図１４】
2010240978.tif 000016
【図１５】
2010240978.tif 000017
【図１６】
2010240978.tif 000018
【図１７】
2010240978.tif 000019